(57)【特許請求の範囲】
【請求項１】
垂直押し、水平押し、傾斜押し、接触および接触移動のうちの一つ以上の入力形態を検出する感知部と；
前記感知部で感知可能な入力形態に応じた方向入力を実行する入力ツールと；
前記入力ツールで実行される方向入力に対応する複数の方向指示位置を生成し、前記方向指示位置のうちのいずれか一つに対する前記入力ツールの方向入力を前記感知部で検出すると、前記方向指示位置に割り当てられたデータをメモリ部から抽出して入力する制御部と；
を含み、
前記感知部では、接触および接触移動を検出し、
前記入力ツールは、一つ以上の部分が前記感知部に選択的に接触できるように設けられ、
前記制御部では、前記感知部に接触する前記入力ツールの一つの接触点に基づいて複数の第１方向指示位置および第２方向指示位置のうちの一つ以上を生成し、前記入力ツールが前記感知部に接触した状態で前記第１方向指示位置のうちのいずれか一つに移動する第１方向入力を前記感知部からの検出信号によって認識し、前記入力ツールの他の接触点が、前記感知部上の第２方向指示位置のうちのいずれか一つに接触する第２方向入力を前記感知部からの検出信号によって認識して、前記第１方向指示位置または第２方向指示位置に割り当てられたデータを制御部から抽出して入力し、
前記感知部は、水平押し、垂直押しおよび接触を感知し、
前記入力ツールが、前記感知部上の一つの部分を水平および垂直方向に押圧できるように設けられ、
前記制御部は、前記入力ツールが、前記感知部に接触した点に基づいて複数の第４方向指示位置および第５方向指示位置を生成し、前記入力ツールが、前記第４方向指示位置のうちのいずれか一つを垂直方向に押圧する第４方向入力を前記感知部からの検出信号によって認識して、前記第４方向指示位置に割り当てられたデータをメモリ部から抽出して入力し、前記入力ツールが、第５方向指示位置のうちのいずれか一つに対して水平方向に押圧する第５方向入力を前記感知部からの検出信号によって認識して、前記第５方向指示位置に割り当てられたデータをメモリ部から抽出して入力することを特徴とする文字入力装置。
【請求項２】
前記入力ツールは、前記入力ツールの全体または一部が傾斜して前記第２方向指示位置の外側で前記感知部と接触することができるように構成され、前記制御部は、前記感知部に接触する前記入力ツールの一つの接触点に基づいて前記第２方向指示位置の外側に複数の第３方向指示位置を生成し、前記入力ツールが前記感知部上の第３方向指示位置のうちのいずれか一つに接触する第３方向入力を前記感知部からの検出信号によって認識し、前記第３方向指示位置に割り当てられたデータを制御部から抽出して入力することを特徴とする、請求項１に記載の文字入力装置。
【請求項３】
前記入力ツールは、板状の第１入力部と、前記第１入力部で弾性変形可能な状態で突出して前記感知部に当接され、また、先端にすべり制限部が設けられ、前記すべり制限部によって前記感知部に接触する突起部と、前記突起部の中間部において前記第１入力部と平行であり、第１入力部よりも短く突出して前記第１入力部の移動時に前記突起部が弾性変形することによって前記感知部に接触する第２入力部と、からなることを特徴とする、請求項１に記載の文字入力装置。
【請求項４】
前記第１方向入力は、前記入力ツールの移動距離に応じて２段階以上の多段階で実行されることを特徴とする、請求項１または請求項２に記載の文字入力装置。
【請求項５】
前記入力ツールは、板状の入力部と、前記入力部の中央に形成されて前記入力部に対す押圧によって前記感知部に接触して中央入力を実行し、接触された状態で第１方向指示位置に移動して第１方向入力を実行する中央接触部と、前記入力部の外側で第２方向指示位置に対応する位置に形成され、入力部に対する押圧によって前記感知部に接触されて第１方向入力を実行する第２方向接触部とからなることを特徴とする
請求項１または請求項２に記載の文字入力装置。
【請求項６】
前記入力ツールは、弾性変形可能な素材で製作される板状の入力部と、円筒状に形成される支持接触部と、前記支持接触部の内側で前記入力部の中央に前記支持接触部よりも短く形成され、前記支持接触部が前記感知部に接触された状態で入力部を押圧すると、入力部の弾性変形によって前記感知部に接触されて中央入力を実行し、接触した状態で第１方向指示位置に移動して第１方向入力を実行する中央接触部と、からなり、
第２方向入力は、入力部の外側を押圧して入力部が前記感知部に接触することによって実行されることを特徴とする、請求項１または請求項２に記載の文字入力装置。
【請求項７】
前記入力部の上面は、凸の球状からなり、
前記入力ツールは、前記入力部の上に設けられ、傾斜方向へ押圧によって入力部に沿ってスライドして前記感知部に接触して第３方向入力を実行する第３方向接触部をさらに含むことを特徴とする、請求項６に記載の文字入力装置。
【請求項８】
前記入力ツールは、弾性変形可能な素材で製作される板状の入力部と、前記入力部の外側に円筒状に形成される支持接触部と、前記入力部の中央に前記支持接触部よりも短く形成され、前記支持接触部が前記感知部に接触した状態で入力部を押圧すると、入力部の弾性変形によって前記感知部に接触して中央入力を実行し、接触した状態で第１方向指示位置に移動して第１方向入力を実行する中央接触部と、前記支持接触部の内側で第２方向指示位置に対応するように形成され、前記入力部の弾性変形によって前記感知部に接触して第２方向入力を実行する第２方向接触部と、からなることを特徴とする、請求項１または請求項２に記載の文字入力装置。
【請求項９】
前記入力ツールは、板状からなる入力部と、前記入力部の下部に円筒状に設けられる中央接触部と、前記中央接触部の外側には前記感知部に向かって互いに異なる長さで突出される複数の第２方向接触部と、から構成され、
前記第２方向接触部は、前記第２方向入力時に前記入力部の傾斜角度に応じて連続的に前記感知部に接触することによって、２段階以上の多段階入力を実行可能にすることを特徴とする、請求項１または請求項２に記載の文字入力装置。
【請求項１０】
前記入力部には、前記入力部が前記感知部に対して接触、接触移動または傾斜が可能なように前記感知部が収容されるケースに連結する弾性変形可能な連結部材が設けられることを特徴とする、請求項１または請求項２に記載の文字入力装置。
【請求項１１】
前記連結部材には、
前記ケースに連結する本体と、
前記入力部と前記本体とを連結する弾性変形可能な弾性連結部と、
からなることを特徴とする、請求項１０に記載の文字入力装置。
【請求項１２】
前記本体は、棒状に設けられ、その両端部は「コ」字状に折り曲げられて、前記入力部が前記感知部に接近および離隔するように前記ケースに対してスライド移動可能に保持されることを特徴とする、請求項１１に記載の文字入力装置。
【請求項１３】
前記本体は、前記ケースと前記本体との間に設けられ、前記本体が前記ケースに対して回動することによって前記入力部が前記感知部に上に置かれるようにするヒンジ部を具備することを特徴とする、請求項１１に記載の文字入力装置。
【請求項１４】
前記制御部は、前記感知部と前記入力ツールとが接触する場合、文字入力モードに自動で切り替えることを特徴とする、請求項１または請求項２に記載の文字入力装置。
【請求項１５】
前記制御部は、文字入力モードに切り替えた時、前記入力ツールの周囲に各方向入力によって入力可能な文字が表示されるキーボード表示部を生成することを特徴とする、請求項１４に記載の文字入力装置。
【請求項１６】
前記感知部は、タッチスクリーンであることを特徴とする、請求項１または請求項２に記載の文字入力装置。
【請求項１７】
前記感知部は、畳むまたは丸めることができる電子ペーパーＬＣＤの一側に設けられることを特徴とする、請求項１または請求項２に記載の文字入力装置。
【請求項１８】
前記入力ツールが、２個以上設けられ、前記感知部は、前記入力ツールの位置および個数に対応して設けられることを特徴とする、請求項１７に記載の文字入力装置。
【請求項１９】
前記感知部は、触覚センサーを具備したタッチスクリーンであることを特徴とする、請求項１に記載の文字入力装置。
【請求項２０】
前記感知部は、傾斜押しをさらに検出することができ、
前記制御部は、前記入力ツールが前記感知部に接触した点に基づいて複数の第６方向指示位置を生成し、前記入力ツールが前記第６方向指示位置のうちのいずれか一つに対して傾斜押しする第６方向入力を前記感知部からの検出信号によって認識して、前記第６方向指示位置に割り当てられたデータをメモリ部から抽出して入力することを特徴とする、請求項１に記載の文字入力装置。
【請求項２１】
前記入力ツールは、円盤状からなることを特徴とする、請求項１に記載の文字入力装置。
【発明の詳細な説明】
【技術分野】
【０００１】
本発明は、文字入力装置に関し、より詳しくは、端末器に入力部を設けるための固定空間が不要であるため、端末器全体の大きさを最小化する、またはタッチスクリーンの大きさを最大化することができ、タッチスクリーン上で指を利用して入力するよりも正確且つ迅速に入力することができる文字入力装置に関する。
【背景技術】
【０００２】
最近、ソフトウェアならびに半導体技術および情報処理技術が、飛躍的に発達することに伴って、携帯電話機、ＰＤＡなど各種の情報機器が次第に小型化、多機能化する傾向にあり、これと共に情報機器における文字などの入力を通した情報保存および通信の重要性も益々大きくなっている。
【０００３】
しかしながら、現在使用されている情報機器における各種の文字やコマンドなどの入力装置は、上述した情報環境変化に適切に対応するにはまだ多くの問題点を有している。
【０００４】
つまり、文字などの入力において最も重要な点は、入力しようとする情報を迅速且つ正確に入力することであるが、このためには、必要な文字などを最小限の操作回数で正確に入力することが最も好ましい。
【０００５】
そのための最も好ましい入力装置では、入力しようとする各文字毎に別途入力キーが設置されることがあるが、これは、ハングルのアルファベット２４個、英語のアルファベット２６個、数字１０個および各種の記号を含んで１００個以上の入力キーが必要であるという点で実際的は非効率的であるという問題点がある。
【０００６】
一方、近来、携帯用移動通信端末器は電話通話という基本機能以外に、ＭＰ３(MPEG Audio Layer-3)、ＤＭＢ(Digital Multimedia Broadcasting)、テレビ電話など各種の多様な機能が持続的に追加されている。
【０００７】
しかし、前記の複雑な機能を効率的に実現するために、より広いスクリーンおよび入力装置が必要である反面、端末器全体の大きさは次第に小型化しているのが実情ある。
【０００８】
しかし、前記のタッチスクリーン式端末器で文字を入力する時には、一般にタッチスクリーンの一部を入力領域に分割した後、前記入力領域に複数の入力キーを配置して各入力キーをタッチすることによって当該文字を入力する方法が使用されている。
【０００９】
そのような従来のタッチスクリーン式端末器の場合、空間的な制約のため、前記入力領域に多数の入力キーを配置することが不可能であるという不便さがあった。
【００１０】
また、前記入力領域に文字入力のための入力キーを配置しなければならないため、その分スクリーンの大きさを縮小せざるを得ないという問題点があった。
【００１１】
併せて、ユーザーが意図する文字、記号または数字などを入力するためには、スクリーン上に配置された各入力キーをタッチする方式で入力を実行するようになるが、この過程で、ユーザーが意図しない他の入力キーが操作される場合が頻繁に発生して、エラーが発生するだけでなく、ユーザーが意図する情報を得るために各入力キーを何度も操作しなければならないため、入力方法が複雑になり、入力時間が長くなるなどの問題点があった。
【発明の概要】
【発明が解決しようとする課題】
【００１２】
したがって、本発明の目的は、端末器に入力部を設ける固定空間が不要であるため、端末器全体の大きさを最小化する、またはタッチスクリーンの大きさを最大化することができ、タッチスクリーン上で指を利用して入力するよりも正確且つ迅速に入力することができる文字入力装置を提供することにある。
【課題を解決するための手段】
【００１３】
前記目的を達成するために本発明による文字入力装置は、垂直押し、水平押し、傾斜押し、接触および接触移動のうちの一つ以上の入力形態を検出する感知部と、前記感知部で検出可能な入力形態に応じた方向入力を実行する入力ツールと、前記入力ツールで実行される方向入力に対応する複数の方向指示位置を生成し、前記方向指示位置のうちのいずれか一つに対する前記入力ツールの方向入力を前記感知部で検出すると、前記方向指示位置に割り当てられたデータをメモリ部から抽出して入力する制御部と、を含む。
【００１４】
このとき、前記感知部では、接触および接触移動を検出し、前記入力ツールは、一つ以上の部分が前記感知部に選択的に接触できるように設けられ、前記制御部では、前記感知部に接触する前記入力ツールの一つの接触点に基づいて複数の第１方向指示位置および第２方向指示位置のうちの一つ以上を生成し、前記入力ツールが、前記感知部に接触した状態で前記第１方向指示位置のうちのいずれか一つに移動する第１方向入力を前記感知部からの検出信号によって認識し、前記入力ツールの他の接触点が前記感知部上の第２方向指示位置のうちのいずれか一つに接触する第２方向入力を前記感知部からの検出信号によって認識して、前記第１方向指示位置または第２方向指示位置に割り当てられたデータを制御部から抽出して入力する。
【００１５】
そして、前記入力ツールは、前記入力ツールの全体または一部が傾斜して前記第２方向指示位置の外側で前記感知部と接触することができるように構成され、前記制御部は、前記感知部に接触する前記入力ツールの一つの接触点に基づいて前記第２方向指示位置の外側に複数の第３方向指示位置を生成し、前記入力ツールが前記感知部上の第３方向指示位置のうちのいずれか一つに接触する第３方向入力を前記感知部からの検出信号によって認識し、前記第３方向指示位置に割り当てられたデータを制御部から抽出して入力することができる。
【００１６】
また、前記入力ツールは、板状の第１入力部と、前記第１入力部で弾性変形可能な状態で突出して前記感知部に当接され、また、先端にすべり制限部が設けられ、前記すべり制限部によって前記感知部に接触する突起部と、前記突起部の中間部で前記第１入力部と平行であり、第１入力部よりも短く突出して前記第１入力部の移動時に前記突起部が弾性変形することによって前記感知部に接触する第２入力部とからなることができる。
【００１７】
併せて、前記第１方向入力は、前記入力ツールの移動距離に応じて２段階以上の多段階で実行することができる。
【００１８】
そして、前記入力ツールは、板状の入力部と、前記入力部の中央に形成されて前記入力部に対する押圧によって感知部に接触して中央入力を実行し、接触された状態で第１方向指示位置に移動して第１方向入力を実行する中央接触部と、前記入力部の外側で第２方向指示位置に対応する位置に形成され、入力部に対する押圧によって前記感知部に接触して第２方向入力を実行する第２方向接触部と、からなることができる。
【００１９】
あるいは、前記入力ツールは、弾性変形可能な素材で製作される板状の入力部と、円筒状に形成される支持接触部と、前記支持接触部の内側で前記入力部の中央に前記支持接触部よりも短く形成され、前記支持接触部が感知部に接触した状態で入力部を押圧すると、入力部の弾性変形によって前記感知部に接触して中央入力を実行し、接触した状態で第１方向指示位置に移動して第１方向入力を実行する中央接触部と、からなり、第２方向入力は、入力部の外側を押圧して入力部が感知部に接触することによって実行することができる。
【００２０】
この時、前記入力部の上面は、凸の球状からなり、前記入力ツールは、前記入力部の上面に設けられ、傾斜方向への押圧によって入力部に沿ってスライドして感知部に接触して第３方向入力を実行する第３方向接触部をさらに含むことができる。
【００２１】
あるいは、前記入力ツールは、弾性変形可能な素材で製作される板状の入力部と、前記入力部の外側に円筒状に形成される支持接触部と、前記入力部の中央に前記支持接触部よりも短く形成され、前記支持接触部が感知部に接触した状態で入力部を押圧すると、入力部の弾性変形によって前記感知部に接触して中央入力を実行し、接触した状態で第１方向指示位置に移動して第１方向入力を実行する中央接触部と、前記支持接触部の内側で第２方向指示位置に対応するように形成され、前記入力部の弾性変形によって感知部に接触して第２方向入力を実行する第２方向接触部と、からなることができる。
【００２２】
一方、前記入力ツールは、板状からなる入力部と、前記入力部の下部に円筒状に設けられる中央接触部と、前記中央接触部の外側には前記感知部に向かって互いに異なる長さで突出される複数の第２方向接触部と、から構成され、前記第２方向接触部は、前記第２方向入力時に前記入力部の傾斜角度に応じて連続的に前記感知部に接触することによって、２段階以上の多段階入力を実行することもできる。
【００２３】
そして、前記入力部には、前記入力部が前記感知部に対して接触、接触移動または傾斜が可能なように前記感知部が収容されるケースに連結する弾性変形可能な連結部材が設けられる。
【００２４】
この時、前記連結部材には、前記ケースに連結する本体と、前記入力部と前記本体とを連結する弾性変形可能な弾性連結部と、からなることができる。
【００２５】
そして、前記制御部は、前記感知部と前記入力ツールとが接触する場合、文字入力モードに自動で切り替えることができる。この時、前記制御部は、文字入力モードに切り替えた時、前記入力ツールの周囲に各方向入力によって入力可能な文字が表示されるキーボード表示部を生成することができる。
【００２６】
また、前記感知部は、タッチスクリーンであってもよい。
【００２７】
あるいは、前記感知部は、畳むまたは丸めることができる電子ペーパーＬＣＤの一側に設けられてもよい。
【００２８】
一方、前記感知部は、水平押し、垂直押しおよび接触を感知し、前記入力ツールは、前記感知部上の一つの接触点で水平および垂直方向に押圧することができるように設けられ、前記制御部は、前記入力ツールが前記感知部に接触した点に基づいて複数の第４方向指示位置および第５方向指示位置を生成し、前記入力ツールが前記第４方向指示位置のうちのいずれか一つを垂直方向に押圧する第４方向入力を前記感知部からの検出信号によって認識して、前記第４方向指示位置に割り当てられたデータをメモリ部から抽出して入力し、前記入力ツールが第５方向指示位置のうちのいずれか一つに対して水平方向に押圧する第５方向入力を前記感知部からの検出信号によって認識して、前記第５方向指示位置に割り当てられたデータをメモリ部から抽出して入力することができる。
【００２９】
この時、前記感知部は、触覚センサーを具備したタッチスクリーンであってもよい。
【００３０】
そして、そのような場合、前記入力ツールは、円盤状からなることができる。
【発明の効果】
【００３１】
本発明による文字入力装置によれば、端末器に入力部を設ける固定空間が不要であるため、端末器全体の大きさを最小化する、またはタッチスクリーンの大きさを最大化することができ、タッチスクリーン上で指を利用して入力するよりも正確且つ迅速に入力する効果を創出することができる。
【図面の簡単な説明】
【００３２】
【図１】本発明の一実施例による文字入力装置が装着される携帯用移動通信端末器の斜視図である。
【図２】本発明の一実施例による入力ツールの断面図である。
【図３】本発明の一実施例による第１方向入力時に２段階の多段階入力が実行される時の状態図である
【図４】本発明の一実施例による第２方向入力時に２段階の多段階入力が実行される時の状態図である。
【図５】本発明による入力ツールの他の実施例を示した断面図である。
【図６】本発明の他の一実施例による文字入力装置が装着された携帯用移動通信端末器の斜視図である。
【図７】図６のＡ−Ａ線による断面図である。
【図８】本発明による入力ツールの多様な形態を示した図面である。
【図９】本発明による入力ツールの多様な形態を示した図面である。
【図１０】本発明による入力ツールの多様な形態を示した図面である。
【図１１】本発明による入力ツールの多様な形態を示した図面である。
【図１２】本発明による入力ツールの多様な形態を示した図面である。
【図１３】本発明による入力ツールの多様な形態を示した図面である。
【図１４】本発明による入力ツールの多様な形態を示した図面である。
【図１５】本発明による入力ツールの多様な形態を示した図面である。
【図１６】本発明による入力ツールの多様な形態を示した図面である。
【図１７】本発明による入力ツールの多様な形態を示した図面である。
【図１８】本発明による入力ツールの多様な形態を示した図面である。
【図１９】本発明の他の実施例による文字入力装置が装着される電子ペーパーＬＣＤを示した斜視図である。
【図２０】図１９に示された電子ペーパーＬＣＤが丸まった状態を示した斜視図である。
【発明を実施するための形態】
【００３３】
以下、添付した図面を参照して本発明について詳しく説明する。
【００３４】
図１は、本発明の一実施例による文字入力装置が装着される携帯用移動通信端末器の斜視図である。
【００３５】
図面を参照すると、本発明による文字入力装置１０は、接触または接触移動を感知する感知部２０と、一つ以上の指定位置で前記感知部２０と選択的に接触することができるように設けられる入力ツール３０と、前記感知部２０に接触する前記入力ツール３０の一つの接触点に基づいて複数の第１方向指示位置Ｍ１、Ｍ２、Ｍ３、Ｍ４および第２方向指示位置Ｐ１、Ｐ２、Ｐ３、Ｐ４のうちの一つ以上を生成し、前記入力ツール３０が、前記感知部２０に接触した状態で前記第１方向指示位置のうちのいずれか一つに動いて第１方向入力Ｍを前記感知部２０からの検出信号によって認識するか、または前記入力ツール３０の他の指定位置が、前記感知部２０上の第２方向指示位置のうちのいずれか一つに接触する第２方向入力Ｐを前記感知部２０からの検出信号によって認識し、前記第１方向指示位置または第２方向指示位置に割り当てられたデータをメモリ部（図示せず）から抽出して入力する制御部（図示せず）と、を含む。
【００３６】
携帯用移動通信端末器１は、タッチスクリーン方式を使って実施される。したがって、前記感知部２０は、タッチスクリーンで実施されてもよい。
【００３７】
入力ツール３０は、感知部２０に接触した状態で第１方向指示位置のうちのいずれか一つに動かすことによる第１方向入力Ｍと、前記入力ツール３０の一つの指定位置が感知部２０に接触した状態で、入力ツール３０の他の部分が第２方向指示位置のうちのいずれか一つに接触することによる第２方向入力Ｐと、が実行できる。
【００３８】
そして、入力ツール３０の周囲には、文字が表示されるキーボード表示部（図示せず）が設けられてもよい。この場合、キーボード表示部は、入力ツール３０の周囲に表示されるのが好ましく、入力ツール３０の位置が移動する場合、入力ツール３０に従って共に移動する。
【００３９】
一方、制御部は、前記入力ツール３０が感知部２０に接触した位置を基準として放射状の複数の第１方向指示位置および第２方向指示位置を生成する。したがって、第１方向指示位置および第２方向指示位置は、前記感知部２０の特定の位置として決定されているのではなく、文字入力モード時の入力ツール３０との接触によって決定される。
【００４０】
つまり、制御部は、入力ツール３０を感知部２０の上に置く時に検出される所定の接触形態（例えば、接触部の断面形状）に対するデータを予め保存しており、第１方向指示位置および第２方向指示位置を前記入力ツール３０に対応するように生成し、入力ツール３０が、感知部２０に乗せられて、所定の接触形態が検出されると、文字モードに切り替え、文字キーボードを表示するようにできる。
【００４１】
また、前記制御部は、第１方向指示位置および第２方向指示位置を生成する時に基準となる基準位置Ｓを追加的に生成することもできる。前記基準位置Ｓは、放射状に配置される第１方向指示位置および第２方向指示位置の中心に配置される。
【００４２】
そして、前記制御部は、第１方向入力Ｍおよび第２方向入力Ｐのうちのいずれか一つのみを処理するように形成されてもよい。したがって、もし前記制御部で第１方向入力Ｍのみを処理するように設定されると、前記入力ツール３０を介した接触移動による第１方向入力Ｍのみが可能になる。
【００４３】
前記第１方向指示位置および第２方向指示位置を、多様な個数で設定することができる。つまり、本実施例のようにそれぞれ４個ずつ設定することもできるが、８個ずつ設定することもでき、必要に応じて増大または減少して設定することもできる。
【００４４】
また、各方向指示位置Ｍ１、Ｍ２、Ｍ３、Ｍ４、Ｐ１、Ｐ２、Ｐ３、Ｐ４には、方向入力を実行する場合に入力される第１文字Ｍ１１、第２文字Ｍ１２を重複して割り当てることができる。
【００４５】
第１文字Ｍ１１は、各方向指示位置Ｍ１、Ｍ２、Ｍ３、Ｍ４、Ｐ１、Ｐ２、Ｐ３、Ｐ４で第１方向入力Ｍまたは第２方向入力Ｐ時に、入力ツール３０が感知部２０に接触または接触移動によって入力されるように割り当てられた文字である。
【００４６】
第２文字Ｍ１２は、第１方向入力Ｍ時に、各方向指示位置Ｍ１、Ｍ２、Ｍ３、Ｍ４への移動距離によって２段階の入力で文字入力を実行する、または、第２方向入力Ｐ時に、各方向指示位置Ｐ１、Ｐ２、Ｐ３、Ｐ４において入力ツール３０の傾斜角度によって連続的に感知部２０に接触して２段階の多段階入力で第２方向入力Ｐを実行する場合に入力されるように割り当てられた文字である。
【００４７】
一方、上記説明では、感知部２０に入力ツール３０を置くと、文字入力モードが実行され、この時、第１方向指示位置および第２方向指示位置は、入力ツール３０が置かれて感知部２０に接触する点に基づいて生成されるものとした。しかし、感知部２０には、一側の所定位置に基準入力部（図示せず）が設けられてもよい。前記基準入力部は、入力ツール３０の接触または接触移動に対する基準として、制御部で入力ツール３０の相対的位置、接触または接触移動を判断することができるようにする。
【００４８】
そのような基準入力部は、感知部２０の一側に固定されるか、またはドラッグ(Drag)による移動が可能に設けられる。
【００４９】
この場合、基準入力部は、文字入力モードでない場合には、感知部２０の一側に設けられた待機領域（図示せず）に位置し、文字入力モードに切り替えると、ユーザーは待機領域に位置した基準入力部をドラッグして感知部２０に引き出した後、文字入力を実行することもできる。
【００５０】
これによって、ユーザーが文字入力のための基準入力部の位置を自由に選択することができるので、ユーザーの便宜性が向上する。
【００５１】
図２は、本発明の一実施例による入力ツールの断面図である。
【００５２】
図面を参照すると、入力ツール３０は、円盤状、または菱形あるいは六面体などの多様な形状の入力部３１で設けられる。
【００５３】
入力部３１は、板状に設けられて動作入力を実行することができ、その外周縁には、第２方向入力Ｐを実行する場合に備えて、２段階の多段階入力が可能なように感知部２０に向かって互いに異なる長さで突出形成された内側−第２方向接触部３２および外側−第２方向接触部３３が設けられる。
【００５４】
前記内側−第２方向接触部３２は、外側−第２方向接触部３３よりも長く突出形成されて前記入力ツール３０に対する上部からの押圧によって連続的に前記感知部２０に接触するように設けられる。もちろん、内側−第２方向接触部３２が外側−第２方向接触部３３よりも短く突出形成されてもよい。
【００５５】
内側−第２方向接触部３２および外側−第２方向接触部３３は、軟性の材質であり、第２方向入力Ｐ時にユーザーの入力動作によって感知部２０に接触する時、入力部３１の傾斜角度によって伸縮して２段階の多段階入力を実行できるように設けられる。
【００５６】
この場合、内側−第２方向接触部３２が、入力部３１の傾斜によって１段階目の第２方向入力が実行されるように、に感知部２０に接触し、外側−第２方向接触部３３が、入力部３１の連続的な傾斜によって２段階目の第２方向入力Ｐが実行されるように感知部２０に接触するようにして多段階入力が実行される。
【００５７】
前記内側−第２方向接触部３２の中央、つまり、基準位置Ｓに対応する位置には、中央接触部３４が設けられる。前記中央接触部３４は、上部からの押圧によって前記感知部２０に接触して第１方向入力Ｍおよび第２方向入力Ｐとは異なる中央入力Ｃを実行する。この時、中央入力Ｃには、第１方向入力Ｍおよび第２方向入力Ｐ時に入力される文字とは異なる文字が入力されるように設定することもでき、第１方向入力Ｍおよび第２方向入力Ｐによって入力される文字の種類を切り替えるように設定することもできる。文字の種類を切り替えるということは、例えば、ハングルから英語、英語から日本語のような入力モードの切り替えを意味することもできる。
【００５８】
あるいは、前記中央接触部３４によって第１方向入力Ｍを実行することができる。つまり、中央接触部３４を感知部２０に接触させた状態で第１方向指示位置のうちのいずれか一つに向けて移動することによって、第１方向入力Ｍを実行することができる。
【００５９】
前記外側−第２方向接触部３３の外側、つまり、入力ツール３０の外側には支持接触部３５が設けられる。前記支持接触部３５は、前記入力ツール３０を感知部２０上に置くと、前記支持接触部３５が前記感知部２０に接触して前記入力ツール３０を水平に設置する。この時、前記支持接触部３５が感知部２０に接触した状態では、前記中央接触部３４、内側−第２方向接触部３２および外側−第２方向接触部３３は、前記感知部２０と離間する。
【００６０】
前記支持接触部３５は、多様な形状で設けられることができ、例えば、入力ツール３０が菱形あるいは六面体などで設けられる場合、入力ツール３０の形状に対応して設けられる。
【００６１】
そして、前記入力ツール３０が感知部２０に乗せられる時、前記支持接触部３５の感知部２０への接触を検出した感知部２０からの検出信号出力に対応して、制御部は文字入力モードに切り替える。
【００６２】
また、制御部は支持接触部３５の位置に基づいて第１方向指示位置および第２方向指示位置を設定する。これは、入力ツール３０の形態、つまり、支持接触部３５の大きさ、中央接触部３４、内側−第２方向接触部３２および外側−第２方向接触部３３の位置に応じた接触形態または接触形状に関するデータが予めメモリ部に保存されており、制御部は、当該入力ツール３０の接地形態または接触形状がメモリ部に予め保存された接触形状と同一な場合、自動的に文字モードに切り替えて前記入力ツール３０に対応するように第１方向指示位置および第２方向指示位置を設定することによって可能である。
【００６３】
併せて、第１方向入力Ｍは、前記支持接触部３５を、感知部２０に接触した状態で第１方向指示位置のうちの一つに移動する、または中央接触部３４を、感知部２０に接触した状態で第１方向指示位置のうちの一つに移動することによって実行できる。
【００６４】
入力部３１と支持接触部３５との間にはリターン部３６が設けられる。
【００６５】
リターン部３６は多様な材質で設けられることができ、例えば、弾性材質で設けられて、入力ツール３０で方向入力を実行した後、初期状態に復帰するようにできる。
【００６６】
入力ツール３０を感知部２０の上に置くと、所定の接地形態（例えば、感知部２０と支持接触部３５との接地）が検出され、制御部は、接地形態または接触形状がメモリ部に予め保存された接触形状と同一な場合、自動的に文字モードに切り替えることができる。
【００６７】
ここで、前記接触形状は多様に設けることができ、例えば、円形、四角形、菱形など限定されない。
【００６８】
この場合、感知部２０は、アイフォーン（製品名、商標登録）などに適用された多数の接触を検出することができるマルチタッチスクリーン(Multi-Touchscreen)で実施されることが好ましい。
【００６９】
入力ツール３０は、連結部材５０によって感知部２０が収容されるケース３と連結されてもよい。
【００７０】
連結部材５０は、図１に示されているように、紐状に形成されてもよいし、環状、銅線などで多様に形成さてもよい。
【００７１】
前記連結部材５０は、一端がケース３に連結され、他端が入力ツール３０に連結されて、文字入力を実行しない場合にもケース３から入力ツール３０が離脱しないようにして紛失の危険を防止することができる。
【００７２】
本発明による環状に連結された入力ツール３０が設けられた文字入力装置１０によって文字入力を実行する場合、ユーザーの入力動作によって入力ツール３０を感知部２０の上に置くことができるようにする。
【００７３】
そして、前記連結部材５０は、前記入力ツール３０が自由に移動して前記感知部２０に対して接触または接触移動を実行することができるように弾性変形可能な材質で製作されるのが好ましい。
【００７４】
図３は、本発明の一実施例による第１方向入力時に２段階の多段階入力が実行される時の状態を示す図である。
【００７５】
図３を参照すると、複数の第１方向指示位置Ｍ１、Ｍ２、Ｍ３、Ｍ４は基準位置Ｓを中心に放射状に配置される。各第１方向指示位置Ｍ１、Ｍ２、Ｍ３、Ｍ４は基準位置Ｓから均一な離隔距離を有し、相互に均一な角度をなして配置されるのが好ましい。
【００７６】
各第１方向指示位置Ｍ１、Ｍ２、Ｍ３、Ｍ４を、多様な個数で設けることができ、例えば、図３に示されているように、４箇所設けることもでき、設計または使用環境に応じて８箇所または１２箇所設けることもできる。
【００７７】
第１方向入力Ｍ時、例えば、ユーザーが第１方向指示位置Ｍ１に割り当てられた第１文字のＭ１１（ア）の入力を実行しようとする時、入力ツール３０を基準位置Ｓから近い当該第１方向指示位置Ｍ１に移動して１次移動入力を実行する。
【００７８】
この時、制御部はメモリ部からユーザーが意図する当該第１方向指示位置Ｍ１に割り当てられた第１文字のＭ１１（ア）を抽出して入力する。
【００７９】
制御部は、文字入力時に文字入力モードに自動的に切り替えることもできる。
【００８０】
そして、第１方向指示位置Ｍ１に重複して割り当てられた第２文字のＭ１２（イ）の入力を実行しようとする時、入力ツール３０を当該第１方向指示位置Ｍ１上で基準位置Ｓからさらに遠くに移動して入力を実行する多段階入力によって第２文字Ｍ１２（イ）を入力することができる。
【００８１】
図４は、本発明の一実施例による第２方向入力時に２段階の多段階入力が実行される時の状態を示す図である。図４を参照すると、第２方向指示位置Ｐ１、Ｐ２、Ｐ３、Ｐ４は、図３の第１方向指示位置Ｍ１、Ｍ２、Ｍ３、Ｍ４の構成と同一または類似しているので、詳しい説明は省略する。
【００８２】
第２方向入力Ｐ時、例えば、ユーザーが第２方向指示位置Ｐ１に割り当てられた第１文字のＰ１１（カ）の入力を実行しようとする時、入力ツール３０の一側を当該第２方向指示位置Ｐ１に押して傾ける。
【００８３】
この時、図４の斜線部分のように、長く突出した内側−第２方向接触部３２と感知部２０とが接触するようになり、制御部は、メモリ部から当該第２方向指示位置Ｐ１に割り当てられた第１文字であるＰ１１（カ）を抽出して入力することができる。
【００８４】
そして、当該第２方向指示位置Ｐ１に重複して割り当てられた第２文字のＰ１２（キ）の入力を実行しようとする時、入力ツール３０を当該第２方向指示位置Ｐ１にさらに傾けて長さが短い外側−第２方向接触部３３が感知部２０に接触することで、多段階入力によって入力を実行する。これによって、制御部は、メモリ部から当該第２方向指示位置Ｐ１に重複して割り当てられた第２文字のＰ１２（キ）を抽出して入力することができる。
【００８５】
前記第１方向入力Ｍまたは第２方向入力Ｐは、それぞれ独立的に実行可能で、第１方向入力Ｍおよび第２方向入力Ｐを並行して実行することもできる。
【００８６】
図５は、本発明による入力ツールの他の実施例を示した断面図である。
【００８７】
図５Ａに示されているように、入力ツール３０は板状の入力部３１と、中央に突出して形成される中央接触部３４と、前記入力部３１の外側で前記第２方向指示位置に対応する位置に突出して形成される第２方向接触部３７と、から構成されてもよい。この時、中央接触部３４は、前記入力部３１の中央での押圧によって前記感知部２０に接触して中央入力Ｃを実行し、接触した状態で第１方向指示位置に移動して第１方向入力Ｍを実行する。
【００８８】
そして、第２方向接触部３７は、前記入力部３１の外側で第２方向指示位置に対応する位置に形成され、入力部３１上での押圧によって前記感知部２０に接触して第２方向入力Ｐを実行する。
【００８９】
この時、図５Ａでは、中央接触部３４が第２方向接触部３７より長く形成されているが、その反対の場合も可能である。
【００９０】
一方、ここで、図５Ａのような入力ツール３０では、文字入力モード時の最初に入力ツール３０の中央接触部３４が感知部２０に接触した状態にある場合、中央接触部３４による中央入力Ｃは実行できない。したがって、中央入力Ｃを実行可能にするには、前記入力ツール３０は、感知部２０から離隔することが好ましく、この時、入力ツール３０を感知部２０から離隔するように保持する部材（図６ないし図１０に示された「連結部材５０」参照）が感知部２０上に移動するのを制御部で検出して文字入力モードに切り替えることができる。
【００９１】
次に、図５Ｂに示された入力ツール３０は、入力部３１、支持接触部３５および中央接触部３４から構成される。この時、前記入力部３１は板状からなり、弾性変形可能な素材で製作される。
【００９２】
そして、前記支持接触部３５は、前記入力部３１の下部に円筒状に突出して形成されて、前記入力ツール３０を感知部２０の上に置くと、前記支持接触部３５が、前記感知部２０に接触する。また、前記中央接触部３４は、前記支持接触部３５の内側で前記入力部３１の中央に前記支持接触部３５よりも短く形成される。そして、前記中央接触部３４は、前記支持接触部３５が感知部２０に接触した状態で入力部３１を押圧すると、入力部３１の弾性変形によって前記感知部２０に接触して中央入力Ｃを実行し、接触した状態で第１方向指示位置に移動して第１方向入力Ｍ）を実行することができる。
【００９３】
この時、中央入力Ｃが必要でない場合には、前記中央接触部３４を省略することもできる。この場合には、前記支持接触部３５が感知部２０に接触した状態にあるので、前記支持接触部３５を第１方向指示位置に接触移動させることによって、第１方向入力Ｍを実行することもできる。
【００９４】
一方、入力ツール３０は、図５Ｃに示されているように、入力部３１、支持接触部３５、中央接触部３４および第２方向接触部３７から構成されてもよい。前記入力部３１は板状からなり、弾性変形可能な素材で製作される。
【００９５】
そして、前記支持接触部３５は、前記入力部３１の外側で円筒状に突出して形成され、前記入力ツール３０が感知部２０の上に置かれると、前記支持接触部３５が感知部２０に接触して前記入力部３１を支持する。
【００９６】
また、前記中央接触部３４は、前記入力部３１の中央に前記支持接触部３５よりも短く形成され、前記支持接触部３５が感知部２０に接触した状態で入力部３１の中央を押圧すると、入力部３１の弾性変形によって前記感知部２０に接触して中央入力Ｃを実行し、接触した状態で第１方向指示位置に移動すると第１方向入力Ｍを実行する。
【００９７】
この時、本実施例による文字入力装置で中央入力Ｃが必要でない場合には、前記中央接触部３４は省略することもできる。この場合、第１方向入力Ｍは、前記支持接触部３５が感知部２０に接触している状態で第１方向指示位置のうちのいずれか一つに移動することによって実行できる。
【００９８】
併せて、前記第２方向接触部３７は、前記支持接触部３５内側で第２方向指示位置に対応するように形成され、前記入力部３１の弾性変形によって感知部２０に接触して第２方向入力Ｐを実行する。したがって、前記第２方向接触部３７は選択的に感知部２０に接触できるように前記支持接触部３５よりも短く突出する。
【００９９】
図６は、本発明の他の一実施例による文字入力装置が装着された携帯用移動通信端末器の斜視図であり、図７は、図６のＡ−Ａ線による断面図である。
【０１００】
図６および図７に示されているように、入力ツール３０は連結部材５０によってケース３に装着される。より詳しく説明すれば、前記連結部材５０は、前記ケース３に連結する本体５１と、前記入力ツール３０と前記本体５１とを連結する弾性変形可能な弾性連結部５３と、からなる。
【０１０１】
この時、前記本体５１は棒状に設けられ、その両端部は「コ」字状に形成されてケース３のガイド部３ａによって案内されてスライド移動可能に設置される。
【０１０２】
したがって、入力ツール３０は感知部２０上で弾性連結部５３によって左右方向に移動し、本体５１のスライド移動によって上下方向に移動して自由に方向入力を実行することができる。
【０１０３】
そして、前記入力ツール３０が感知部２０の外側に位置した待機状態（図６の実線部分参照）で感知部２０上に移動すると（図６の点線部分参照）、前記制御部は本体５１のスライド移動を感知して文字入力モードに切り替えることができる。
【０１０４】
一方、連結部材５０は、図８のような形態で構成されてもよい。つまり、前記連結部材５０は、本体５１と弾性連結部５３とからなるが、前記弾性連結部５３は、図８に示されているように、弾性変形して前記入力ツール３０が感知部２０上で自由に位置することができるように構成されている。
【０１０５】
この時、前記入力ツール３０は、前記弾性連結部５３によって端末器の背面に待機状態で位置することができ、図８に示されているように、端末器の正面に位置すると前記制御部は文字入力モードに切り替えることができる。
【０１０６】
併せて、前記連結部材５０は、図９に示されているように、弾性変形可能な板状に構成されてもよい。この時、前記入力ツール３０には、前記連結部材５０が貫通できる貫通孔３１ａが形成され、前記入力ツール３０は前記貫通孔３１ａによって前記連結部材５０に沿ってスライドできる。そして、前記連結部材５０は前記ケース３に対してスライド移動が可能である。したがって、前記入力ツール３０は前記連結部材５０に沿って左右方向にスライド移動し、前記連結部材５０のスライド移動によって上下方向に移動して前記感知部２０上で自由に接触および接触移動することができる。
【０１０７】
この時にも前記制御部は、前記連結部材５０のスライド移動によって文字入力モードに切り替えることができる。
【０１０８】
一方、前記連結部材５０は、図１０に示されているように、弾性変形可能な一対の棒状に構成されてもよい。この時、前記入力ツール３０には前記連結部材５０が貫通できる切開部３１ｂが設けられ、前記入力ツール３０は前記切開部３１ｂによって前記連結部材５０に沿ってスライド移動できる。
【０１０９】
図１１は、本発明のさらに他の一実施例による文字入力装置が装着された携帯用移動通信端末器の斜視図である。
【０１１０】
図１１に示されているように、本体５１はフォルダー型(Folder Type)に設けられ、方向入力を実行可能にすることができる。
【０１１１】
本体５１は、ケース３と本体５１との間の所定位置にヒンジ部５１ａを設け、本体５１がケース３に対してヒンジ部５１ａによって回動することによって、入力ツール３０が感知部２０の上に置かれる。
【０１１２】
フォルダー型またはバー型の入力ツール３０が動くと（例えば、フォルダー部で感知部２０を覆たり、バーを移動させると）自動的に文字モードに切り替えて入力ツール３０周囲に文字キーボードが表示されるようにできる。
【０１１３】
この場合、制御部には入力ツール３０を感知部２０の上に置く時に検出される所定の接触形態（例えば、接触部の断面形状）に対するデータが予め保存されており、入力ツール３０が感知部２０の上に置かれて所定の接触形態が検出されると文字モードに切り替え、文字キーボードが表示されるようにできる。
【０１１４】
図１２は、本発明による入力ツールの他の実施例が示されている。つまり、図示された入力ツール３０では、傾斜による第３方向入力Ｔが可能である。説明すると、前記入力ツール３０には、外側に上部へ傾き、下部へ膨出した第３方向接触部３８が設けられ、前記第３方向接触部３８は第２方向指示位置の外側に設けられた第３方向指示位置（図示せず）に対応する。
【０１１５】
そして、前記入力ツール３０には、支持接触部３５と、前記支持接触部３５の内部、つまり、基準位置Ｓにある中央接触部３４と、が設けられる。
【０１１６】
したがって、図１３Ａに示されているように、入力ツール３０の中央を押圧すると、入力ツール３０が弾性変形して前記中央接触部３４が感知部２０に接触して中央入力Ｃが実行できる。
【０１１７】
そして、図１３Ｂに示されているように、前記入力ツール３０で支持接触部３５が感知部２０に接触した状態で前記入力ツール３０を第１方向指示位置のうちのいずれか一つに向かって水平方向に移動すると、制御部では第１方向入力Ｍが実行されたと判断する。
【０１１８】
また、図１３Ｃに示されているように、前記入力ツール３０の外側を押圧すると、前記入力ツール３０は傾斜して感知部２０に接触する。この時、前記入力ツール３０が接触する位置は前記制御部で第２方向指示位置として決定された位置なので、前記制御部では、前記入力ツール３０の接触によって当該第２方向指示位置に対する第２方向入力Ｐが実行されたと判断する。
【０１１９】
さらに、図１３Ｄに示されているように、前記入力ツール３０の第３方向接触部３８に対応する部分を押圧すると、前記入力ツール３０の第３方向接触部３８が、感知部２０に連続的に接触する。この時、前記第３方向接触部３８は、第２方向指示位置に対応する位置で感知部２０に接触するが、外側に沿って回転する形態で接触することから制御部はこれを第２方向入力Ｐではなく、第３方向入力Ｔであると認識することができる。
【０１２０】
図１４は、本発明による入力ツールの他の実施例を示す図面である。つまり、図１４でも入力ツール３０によって第３方向入力Ｔが実行可能である。
【０１２１】
より詳しく説明すると、前記入力ツール３０は、弾性変形可能な素材で製作される板状の入力部３１と、円筒状に形成される支持接触部３５と、前記支持接触部３５の内側で前記入力部３１の中央に前記支持接触部３５よりも短く形成され、前記支持接触部３５が感知部２０に接触した状態で入力部３１を押圧すると、入力部３１の弾性変形によって前記感知部２０に接触して中央入力Ｃを実行し、接触した状態で第１方向指示位置に移動して第１方向入力Ｍを実行する中央接触部３４と、前記入力部３１の上部で傾斜方向への押圧によって入力部３１に沿ってスライドして感知部２０に接触して第３方向入力Ｔを実行する第３方向接触部３８と、からなる。この時、前記入力部３１の上面は、凸の球状からなり、前記第３方向接触部３８は、前記入力部３１の形状に対応するように下面が凹の球状で構成される。
【０１２２】
そして、この場合、第２方向入力Ｐは、入力部３１外側を押圧して入力部３１が感知部２０に接触することによって実行される。この時、第３方向接触部３８に対して傾斜方向への押圧が加わらないと、前記入力部３１上で前記第３方向接触部３８がスライドしないように構成される。例えば、前記第３方向接触部３８の下面を摩擦力を有するように製作することもでき、前記入力部３１の上面に、前記第３方向接触部３８の外側が引っかかるような突起（図示せず）を形成することもできる。
【０１２３】
図１５は、傾斜方向への押圧によって前記第３方向接触部３８が入力部３１に沿ってスライドして感知部２０に接触して第３方向入力Ｔが実行される形態を例示している。
【０１２４】
図１６は、本発明による入力ツールの他の実施例を示した断面図である。示されているように、前記入力ツール３０は、板状の第１入力部４０と、前記第１入力部４０から弾性変形可能な状態で突出して前記感知部２０に当接され、また、先端にすべり制限部４２ａが設けられ、前記すべり制限部４２ａによって前記感知部２０に接触する突起部４２と、前記突起部４２の中間部において前記第１入力部４０と平行に第１入力部４０よりも短く突出し、前記第１入力部４０の移動時に前記突起部４２が弾性変形することによって前記感知部２０に接触する第２入力部４１と、からなる。
【０１２５】
上記説明では、第１方向入力Ｍが接触移動によって実行される場合について説明したが、ここでは、第１方向入力Ｍは第１入力部４０の水平移動によって第２入力部４１が感知部２０に接触することによって実行できることを説明する。
【０１２６】
つまり、図１７Ａに示されているように、入力ツール３０を水平移動させると、前記すべり制限部４２ａによって前記突起部４２が感知部２０上での移動が制限されて傾斜するようになる。この時、突起部４２の中間部に設けられた第２入力部４１は前記突起部４２の傾斜によって傾いて感知部２０に接触するようになり、これを感知した感知部２０の検出信号によって制御部は第１方向入力Ｍと認識する。
【０１２７】
一方、図１７Ｂに示されているように、第１入力部４０の外側を押圧すると、前記第１入力部４０は、感知部２０に接触して第２方向入力Ｐが実行される。第１入力部４０が感知部２０に接触する時に第２入力部４１は感知部２０に接触しないように、前記第２入力部４１は第１入力部４０よりも短く形成される。したがって、第２方向入力Ｐが実行される時、第２入力部４１も同時に接触することによる信号の干渉が防止できる。
【０１２８】
次に、図１８は本発明による入力ツールの他の実施例を示す図面である。つまり、図１８では、入力ツール３０に棒状の把持部４３が連結される。この時、前記入力ツール３０の形態は図５Ａないし図５Ｃに示された形態、または図１２に示された形態のうちのいずれも使用可能である。
【０１２９】
したがって、前記把持部４３を手で握って前記入力ツール３０によって感知部２０に接触または接触移動を実行することによって、上述した第１方向入力ないし第３方向入力Ｍ、Ｐ、Ｔを実行することができる。
【０１３０】
図１９は、本発明の他の実施例による文字入力装置が装着される電子ペーパーＬＣＤを示した斜視図である。
図１９に示されているように、本発明による文字入力装置１０は、畳むまたは丸めることができる電子ペーパーＬＣＤ(E-Paper LCD)６０を具備し、入力ツール３０は前記ペーパーＬＣＤ６０への接触および接触移動によって方向入力を実行することができるように設けられる。
【０１３１】
前記電子ペーパーＬＣＤ６０は、図２０に示されているように、紙のように畳んでまたは丸めて保管／携帯することができ、広げた状態で情報を表示して使用することができる。
【０１３２】
電子ペーパーＬＣＤ６０は畳んだまたは丸めた状態で、所定位置に突出して形成された締結具６１を入力ツール３０に形成された締結溝４４に締結して保管／携帯することができる。
【０１３３】
締結溝４４は、入力ツール３０を保護するための入力ツール保護ケース（図示せず）に設けることもできる。
【０１３４】
電子ペーパーＬＣＤ６０は多様な種類で設けられることができ、例えば、電子ペーパーＬＣＤ６０と同様に柔軟に曲げられるフレキシブルディスプレイ(Flexible Display)などで設けられることができる。
【０１３５】
そして、前記電子ペーパーＬＣＤ６０の一側に設けられた感知部２０は多様な形状で設けられることができ、図１９に示されているように、四角形で設けられることができ、菱形あるいは円形などで設けられることもできる。
【０１３６】
感知部２０は、複数設けられてもよく、例えば、左右両側に２以上（例えば、一対）設けられてもよい。
【０１３７】
あるいは、電子ペーパーＬＣＤ６０に別途感知部２０が設けられるのではなく、入力ツール３０自体に入力ツール３０の入力動作を検出することができる感知部（例えば、光学マウスの下部に装着された光センサーなど）が設けられてもよい。
【０１３８】
この場合、入力ツール３０は、それぞれの対応する感知部の上に置かれて、２セットで入力できるように、２つ以上設けられる。
【０１３９】
そして、この場合、制御部には入力ツール３０を感知部２０の上に置く時に検出される所定の接触形態（例えば、接触部の断面形状）に対するデータが予め保存されており、入力ツール３０が感知部２０の上に置かれて所定の接触形態が検出されると、文字モードに切り替えて文字キーボードを表示して文字入力を実行することができる。
【０１４０】
もちろん、入力ツール３０自体に感知機能を付与して入力ツール３０が感知部に装着される場合、所定の接触形態を検出することができるようにし、接触形態が検出されると文字モードに切り替えて文字キーボードを表示して文字入力を実行することもできる。
【０１４１】
また、前記感知部２０には所定の基準入力部が設けられて、前記基準入力部を基準として第１ないし第３方向指示位置が配列され、前記基準入力部を中心に入力ツール３０による方向入力を実行することもできる。
【０１４２】
一方、図示されてはいないが、本発明による感知部２０は触覚センサーを具備したタッチスクリーンであってもよい。この時には感知部２０で垂直押しおよび水平押しを検出することができるため、これによって第４方向入力および第５方向入力が実行可能である。
【０１４３】
より詳しく説明すると、感知部２０が水平押しおよび垂直押しを検出することができる場合において、入力ツール３０は、前記感知部２０上の所定の位置を水平および垂直方向に押圧することができるように設けられる。この時、入力ツール３０は多様な形状で形成されてもよく、前記の実施例で説明された入力ツール３０の形態あるいは単に円盤状に形成されてもよい。
【０１４４】
そして、制御部は、前記入力ツール３０が前記感知部２０に接触した点に基づいて複数の第４方向指示位置（図示せず）および第５方向指示位置（図示せず）を生成し、前記入力ツール３０が第４方向指示位置のうちのいずれか一つにおいて垂直方向に押圧する第４方向入力を前記感知部２０からの検出信号によって認識し、前記第４方向指示位置に割り当てられたデータをメモリ部から抽出して入力する。また、前記制御部では、前記入力ツール３０が第５方向指示位置のうちのいずれか一つに対して水平方向に押圧する第５方向入力を前記感知部２０からの検出信号によって認識し、前記第５方向指示位置に割り当てられたデータをメモリ部から抽出して入力する。
【０１４５】
併せて、前記第４方向入力および第５方向入力は、前記に言及された第１ないし第３方向入力Ｍ、Ｐ、Ｔと共に実行可能なように設けられる。この時、制御部にはこれらそれぞれの方向入力が実行されると、感知部２０の検出信号に基づいて各方向入力を区分して各方向入力に対するデータをメモリ部から抽出して入力処理をする。
【０１４６】
また、前記感知部は、傾斜押しを検出し、入力ツールの傾斜押しによる第６方向入力によって、制御部は第６方向指示位置に割り当てられたデータを入力することもできる。
【０１４７】
以上、説明した本発明は、前述の実施例および添付した図面に限定されず、本発明の技術的な思想を逸脱しない範囲内で多様な変換、変形および変更が可能であることは本発明が属する技術分野の当業者には明白である。
【０１４８】
例えば、本発明では携帯用移動通信端末器のタッチスクリーンによるタッチ入力およびプッシュ入力を基準として考察したが、タッチスクリーンによるタッチ入力およびプッシュ入力が実行可能な電子辞書、ＭＰ３またはＰＤＡなど多様な製品にも適用され得る。
【０１４９】
そして、本実施例で説明された第１ないし第５方向指示位置は互いに異なる位置に配列されることもできるが、２個以上が重複して配列されてもよい。重複する場合にも各方向指示位置に対する方向入力は互いに異なるので、制御部では各方向入力を区分して入力処理することができる。
【符号の説明】
【０１５０】
３      ケース
１０      文字入力装置
２０      感知部
３０      入力ツール
３１      入力部
３１ｂ      切開部
３２      内側−第２方向接触部
３３      外側−第２方向接触部
３４      中央接触部
３５      支持接触部
３６      リターン部
３７      第２方向接触部
３８      第３方向接触部
４０      第１入力部
４１      第２入力部
４２      突起部
４２ａ      すべり制限部
４３      把持部
５０      連結部材
５１      本体
５１ａ      ヒンジ部
５３      弾性連結部
６０      電子ペーパーＬＣＤ
Ｍ１、Ｍ２、Ｍ３、Ｍ４      第１方向指示位置
Ｐ１、Ｐ２、Ｐ３、Ｐ４      第２方向指示位置
【図１】
0005406196.tif 000002
【図２】
0005406196.tif 000003
【図３】
0005406196.tif 000004
【図４】
0005406196.tif 000005
【図５（ａ）】
0005406196.tif 000006
【図５（ｂ）】
0005406196.tif 000007
【図５（ｃ）】
0005406196.tif 000008
【図６】
0005406196.tif 000009
【図７】
0005406196.tif 000010
【図８】
0005406196.tif 000011
【図９（ａ）】
0005406196.tif 000012
【図９（ｂ）】
0005406196.tif 000013
【図１０（ａ）】
0005406196.tif 000014
【図１０（ｂ）】
0005406196.tif 000015
【図１１】
0005406196.tif 000016
【図１２】
0005406196.tif 000017
【図１３（ａ）】
0005406196.tif 000018
【図１３（ｂ）】
0005406196.tif 000019
【図１３（ｃ）】
0005406196.tif 000020
【図１３（ｄ）】
0005406196.tif 000021
【図１４】
0005406196.tif 000022
【図１５】
0005406196.tif 000023
【図１６】
0005406196.tif 000024
【図１７（ａ）】
0005406196.tif 000025
【図１７（ｂ）】
0005406196.tif 000026
【図１８】
0005406196.tif 000027
【図１９】
0005406196.tif 000028
【図２０】
0005406196.tif 000029